【手続補正書】
【提出日】平成29年9月18日(2017.9.18)
【手続補正１】
【補正対象書類名】特許請求の範囲
【補正対象項目名】全文
【補正方法】変更
【補正の内容】
【特許請求の範囲】
【請求項１】
カテーテル張力緩和クリップであって、
上面を有する本体部と、
前記上面から上向きに延出する複数のアーム部材であって、前記各アーム部材により、カテーテルを受容するためのアンダーカット領域が画定され、前記アーム部材は、前記本体部の第１の側部から第２の側部まで前記各アーム部材の下側に通される前記カテーテルのための曲がった経路を画定するように配置される、該アーム部材と、
前記各アーム部材間の前記上面に形成された溝をであって、前記溝は、前記アーム部材間の前記上面に凹部チャンネルを画定し、かつ前記溝は、前記各アーム部材の下側に通された前記カテーテルが前記曲がった経路に沿って延びているとき前記凹部チャンネル内に配置されるように配向されている、該溝とを含むことを特徴とするクリップ。
【請求項２】
前記アーム部材は、前記本体部の前記第１の側部と前記第２の側部との間に、所定の傾斜角をなして配向された区間を少なくとも２つ有する曲がった経路を画定することを特徴とする請求項１に記載のカテーテル張力緩和クリップ。
【請求項３】
前記アーム部材を少なくとも３つ含み、
前記曲がった経路は、前記本体部の前記第１の側部および前記第２の側部に位置する最外側の一対の前記アーム部材を互いに結ぶ仮想線に対する一方の側に画定されることを特徴とする請求項２に記載のカテーテル張力緩和クリップ。
【請求項４】
前記アーム部材は、前記上面に、互いに対して平行に配向されていることを特徴とする請求項３に記載のカテーテル張力緩和クリップ。
【請求項５】
少なくとも２つの前記アーム部材が、前記上面に、互いに対して非平行な角度をなして配向されており、
前記曲がった経路での方向変更は、前記互いに対して非平行な角度をなして配向された前記アーム部材間の傾斜角にも起因することを特徴とする請求項３に記載のカテーテル張力緩和クリップ。
【請求項６】
前記最外側の一対のアーム部材が、前記上面に、互いに対して非平行な角度をなして配向されており、
前記曲がった経路は、前記本体部の前記第１の側部および前記第２の側部に、所定の傾斜角をなして配向された区間をさらに有することを特徴とする請求項５に記載のカテーテル張力緩和クリップ。
【請求項７】
前記アーム部材は、前記アンダーカット領域への前記カテーテルの挿入のために撓むことができるように、前記本体部の前記上面に可撓性を有して設けられていることを特徴とする請求項１に記載のカテーテル張力緩和クリップ。
【請求項８】
前記アーム部材が、該アーム部材の下面に設けられた保持リップを有することを特徴とする請求項７に記載のカテーテル張力緩和クリップ。
【請求項９】
前記アーム部材が、前方自由端と、前記前方自由端から前記保持リップまで延在する傾斜面とを有することを特徴とする請求項８に記載のカテーテル張力緩和クリップ。
【請求項１０】
前記本体部の前記各アンダーカット領域に、前記カテーテルにおける前記アンダーカット領域に位置する部分が嵌り込んで垂直方向に撓むことができる凹部または孔が形成されたことを特徴とする請求項１に記載のカテーテル張力緩和クリップ。
【請求項１１】
カテーテル張力緩和クリップであって、
上面を有する本体部と、
前記上面から上向きに延出する複数のアーム部材であって、前記各アーム部材により、カテーテルを受容するためのアンダーカット領域が画定され、前記アーム部材は、前記本体部の第１の側部から第２の側部まで前記各アーム部材の下側に通される前記カテーテルのための曲がった経路を画定するように配置される、該アーム部材と、
前記各アーム部材間の前記上面に形成され、前記アーム部材間で前記カテーテルを受容するための凹部チャンネルを画定する溝とを含み、
前記各溝の前記各アーム部材に隣接する両溝端部は、前記各アーム部材の両側に設けられた仕切り壁により画定されており、
前記カテーテルにおける前記溝から前記アンダーカット領域にかけて位置する部分が、前記仕切り壁により垂直方向に撓むように構成したことを特徴とするカテーテル張力緩和クリップ。
【請求項１２】
前記本体部の前記各アンダーカット領域に、前記カテーテルにおける前記アンダーカット領域に位置する部分が嵌り込んで垂直方向に撓むことができる凹部または孔が形成されたことを特徴とする請求項１１に記載のカテーテル張力緩和クリップ。
【請求項１３】
前記本体部が、平坦な下面を有しており、
前記平坦な下面に設けられた、当該クリップを目標位置に固定するための接着層をさらに含むことを特徴とする請求項１に記載のカテーテル張力緩和クリップ。
【請求項１４】
前記本体部の下面に結合された、当該クリップを目標位置に固定するための取付パッドをさらに含むことを特徴とする請求項１に記載のカテーテル張力緩和クリップ。
【請求項１５】
カテーテル張力緩和クリップであって、
上面を有する本体部と、
前記上面から上向きに延出する複数のアーム部材であって、前記各アーム部材により、カテーテルを受容するためのアンダーカット領域が画定され、前記アーム部材は、前記本体部の第１の側部から第２の側部まで前記各アーム部材の下側に通される前記カテーテルのための曲がった経路を画定するように配置される、該アーム部材と、
前記各アーム部材間の前記上面に形成された溝であって、前記溝は、隣接する前記アーム部材間の前記上面に凹部チャンネルを画定し、複数の前記アーム部材は、隣接する前記溝間において前記カテーテルを受容するための経路の上側に延び、かつ複数の前記アーム部材は、前記各アーム部材の遊端からその下側に挿入された前記カテーテルが、前記曲がった経路に沿って延びているとき前記凹部チャンネル内に配置されるように配向されている、該溝とを含むことを特徴とするクリップ。
【請求項１６】
前記アーム部材は、前記本体部の前記第１の側部と前記第２の側部との間に、所定の傾斜角をなして配向された区間を少なくとも２つ有する曲がった経路を画定することを特徴とする請求項１５に記載のカテーテル張力緩和クリップ。
【請求項１７】
前記アーム部材を少なくとも３つ含み、
前記曲がった経路は、前記本体部の前記第１の側部および前記第２の側部に位置する最外側の一対の前記アーム部材を互いに結ぶ仮想線に対する一方の側に画定されることを特徴とする請求項１６に記載のカテーテル張力緩和クリップ。
【請求項１８】
前記アーム部材は、前記上面に、互いに対して平行に配向されていることを特徴とする請求項１７に記載のカテーテル張力緩和クリップ。
【請求項１９】
少なくとも２つの前記アーム部材が、前記上面に、互いに対して非平行な角度をなして配向されており、
前記曲がった経路での方向変更は、前記互いに対して非平行な角度をなして配向された前記アーム部材間の傾斜角にも起因することを特徴とする請求項１７に記載のカテーテル張力緩和クリップ。
【請求項２０】
前記最外側の一対のアーム部材が、前記上面に、互いに対して非平行な角度をなして配向されており、
前記曲がった経路は、前記本体部の前記第１の側部および前記第２の側部に、所定の傾斜角をなして配向された区間をさらに有することを特徴とする請求項１９に記載のカテーテル張力緩和クリップ。
【請求項２１】
前記アーム部材は、前記アンダーカット領域への前記カテーテルの挿入のために撓むことができるように、前記本体部の前記上面に可撓性を有して設けられていることを特徴とする請求項１５に記載のカテーテル張力緩和クリップ。
【請求項２２】
前記アーム部材が、該アーム部材の下面に設けられた保持リップを有することを特徴とする請求項２１に記載のカテーテル張力緩和クリップ。
【請求項２３】
前記アーム部材が、前方自由端と、前記前方自由端から前記保持リップまで延在する傾斜面とを有することを特徴とする請求項２２に記載のカテーテル張力緩和クリップ。
【請求項２４】
前記本体部の前記各アンダーカット領域に、前記カテーテルにおける前記アンダーカット領域に位置する部分が嵌り込んで垂直方向に撓むことができる凹部または孔が形成されたことを特徴とする請求項１５に記載のカテーテル張力緩和クリップ。
【請求項２５】
前記各溝の前記各アーム部材に隣接する両溝端部は、前記各アーム部材の両側に設けられた仕切り壁により画定されており、
前記カテーテルにおける前記溝から前記アンダーカット領域にかけて位置する部分が、前記仕切り壁により垂直方向に撓むように構成したことを特徴とする請求項１５に記載のカテーテル張力緩和クリップ。
【請求項２６】
前記本体部の前記各アンダーカット領域に、前記カテーテルにおける前記アンダーカット領域に位置する部分が嵌り込んで垂直方向に撓むことができる凹部または孔が形成されたことを特徴とする請求項２５に記載のカテーテル張力緩和クリップ。
【請求項２７】
前記本体部が、平坦な下面を有しており、
前記平坦な下面に設けられた、当該クリップを目標位置に固定するための接着層をさらに含むことを特徴とする請求項１５に記載のカテーテル張力緩和クリップ。
【請求項２８】
前記本体部の下面に結合された、当該クリップを目標位置に固定するための取付パッドをさらに含むことを特徴とする請求項１５に記載のカテーテル張力緩和クリップ。